Podtech/llm-jp-corpus-v4-ja_patent huggingface dataset:
(57)【要約】      （修正有）【課題】どのような形状のおもちゃであっても持ち運び可能な汎用性に富んだおもちゃ用運搬ケースを提供する。【解決手段】一方にヒンジを、他方にロック部材５Ａ、５Ｂを設けて開閉自在とした一対の筐体１、２からなる運搬ケースにおいて、それぞれの筐体内に弾性素材からなる緩衝材３、４を設けるとともに、緩衝材は凸部３Ａ、４Ａと凹部３Ｂ、４Ｂが交互に連続する形状とし、筐体同士を閉止した際にそれぞれの筐体内の緩衝材の凸部と凹部が嵌まり合うようにした。【選択図】図１
0003233817.tif 000002
【実用新案登録請求の範囲】
【請求項１】
一方にヒンジを、他方にロック部材を設けて開閉自在とした一対の筐体からなる運搬ケースにおいて、それぞれの筐体内に弾性素材からなる緩衝材を設けるとともに、上記緩衝材は凸部と凹部が交互に連続する形状とし、筐体同士を閉止した際にそれぞれの筐体内の緩衝材の凸部と凹部が嵌まり合うようにしたことを特徴とするおもちゃ用運搬ケース。
【請求項２】
緩衝材の凸部は円錐形類似の山状、凹部は上記凸部が嵌まり込む谷状である請求項１記載のおもちゃ用運搬ケース。
【請求項３】
緩衝材の凸部は台形状、凹部は上記凸部が嵌まり込む谷状である請求項１記載のおもちゃ用運搬ケース。
【請求項４】
緩衝材はウレタンフォームにより構成される請求項１から３のいずれかに記載のおもちゃ用運搬ケース。
【考案の詳細な説明】
【技術分野】
【０００１】
本願考案は、おもちゃを運搬するためのケースに関する。
【背景技術】
【０００２】
プラスチックモデルや「フイギュア」と呼ばれるプラスチック製人形おもちゃなどのおもちゃを運搬する際にそれに適した運搬ケースがあると便利である。
【０００３】
前記の運搬に際してはケース内部でおもちゃが遊動しないように押さえることが必要となるが、ケース全般において一方にヒンジを、他方にロック部材を設けて開閉自在とした一対の筐体からなる運搬ケースにおいて、ケース内に被運搬物の外形に対応した形状の窪みを凹設した緩衝材を設けたものが公知である（特許文献１）。
【０００４】
前記の運搬ケースによれば、被運搬物は緩衝材の窪みに嵌め入れられるのでケースが動いても、内部で被運搬物が遊動することがなかった。
【先行技術文献】
【特許文献】
【０００５】
【特許文献１】特開平８−２７５８１１号公報
【考案の開示】
【考案が解決しようとする課題】
【０００６】
前記の特許文献１に記載の従来技術の運搬ケースはケース内部で被運搬物が遊動しないための手段として、被運搬物の外形に対応した形状の窪みを凹設した緩衝材を採用しているが、被運搬物の形状に応じた緩衝材を用意しなくてはならなかった。
【０００７】
その結果、例えば商品の包装用のケースや、特定の機器、例えばカメラなどの精密機器や楽器などの運搬用のケースのように、被運搬物が特定されている場合には有用であるが、被運搬物が特定されていない場合は汎用性に欠ける問題があった。
【０００８】
本願考案は、プラスチックモデルや「フイギュア」と呼ばれるプラスチック製人形おもちゃなどのおもちゃを愛好家が持ち運ぶための運搬用ケースを想定しているが、持ち運ぶおもちゃはその場その場で異なるものであり、どのような形状のおもちゃであっても持ち運び可能な汎用性が必要となる。
【課題を解決するための手段】
【０００９】
本願考案は以上の従来技術の問題点を解消した、どのような形状のおもちゃであっても持ち運び可能な汎用性に富んだおもちゃ用運搬ケースを提供することを目的として創作されたものであり、一方にヒンジを、他方にロック部材を設けて開閉自在とした一対の筐体からなる運搬ケースにおいて、それぞれの筐体内に弾性素材からなる緩衝材を設けるとともに、上記緩衝材は凸部と凹部が交互に連続する形状とし、筐体同士を閉止した際にそれぞれの筐体内の緩衝材の凸部と凹部が嵌まり合うようにしたことを特徴とする。
【００１０】
また、請求項２記載の考案は、前記のおもちゃ用運搬ケースにおいて、緩衝材の凸部は円錐形類似の山状、凹部は上記凸部が嵌まり込む谷状であることを特徴とする。
【００１１】
また、請求項３記載の考案は、前記のおもちゃ用運搬ケースにおいて、緩衝材の凸部は台形状、凹部は上記凸部が嵌まり込む谷状であることを特徴とする。
【００１２】
また、請求項４記載の考案は、前記のおもちゃ用運搬ケースにおいて、緩衝材はウレタンフォームにより構成されることを特徴とする。
【考案の効果】
【００１３】
以上の構成よりなる本願考案のおもちゃ用運搬ケースによれば、それぞれの筐体内に設けられる弾性素材からなる緩衝材は平板状でなく、凸部と凹部が交互に連続する形状としているので、おもちゃをそれぞれの緩衝材間に挟んでケースを閉止した場合に緩衝材が潰れやすく、一方筐体同士を閉止した際にそれぞれの筐体内の緩衝材の凸部と凹部が嵌まり合うようにしているので挟まれたおもちゃが移動することがない。
【００１４】
また、おもちゃの外形に対応した形状の窪みを凹設する構造ではないので、どのような形状のおもちゃにも対応する汎用性を有し、おもちゃの持ち運びに最適な運搬ケースが実現される。
【図面の簡単な説明】
【００１５】
【図１】本願考案のおもちゃ用運搬ケースの開放状態の斜視図。
【図２】同上、平面図。
【図３】本願考案のおもちゃ用運搬ケースの閉止状態の背面図。
【考案を実施するための形態】
【００１６】
以下、本願考案のおもちゃ用運搬ケースの具体的実施例を添付図面に基づいて説明する。図１〜図３は本願考案のおもちゃ用運搬ケースを示す図である。
【００１７】
図中符号Ａは運搬ケースを示す。この運搬ケースＡは一方にヒンジ７を、他方に掛止片５Ａ、被掛止片５Ｂからなるバックル状のロック部材を設けて開閉自在とした一対の筐体１、２からなり、ここでは持ち手６を設けるとともに透明素材により構成している。
【００１８】
運搬ケースＡの前記の筐体１、２には内部に弾性素材からなる緩衝材３、４が嵌め込まれる。緩衝材３、４はここではウレタンフォームにより構成され、凸部３Ａ（４Ａ）と凹部３Ｂ（４Ｂ）が交互に連続する形状とし、筐体同士を閉止した際にそれぞれの筐体内の緩衝材の凸部と凹部が嵌まり合うようにしている（図３参照）。
【００１９】
ここでは、前記の緩衝材の凸部は円錐形類似の山状、凹部は上記凸部が嵌まり込む谷状としているが、形状はこれに限らず、例えば凸部を台形状、凹部を上記凸部が嵌まり込む谷状としてもよいことはもちろんである。
【符号の説明】
【００２０】
Ａ          運搬ケース
１          筐体
２          筐体
３          緩衝材
３Ａ        凸部
３Ｂ        凹部
４          緩衝材
４Ａ        凸部
４Ｂ        凹部
５Ａ        掛止片
５Ｂ        被掛止片
６          持ち手
７          ヒンジ
【図１】
0003233817.tif 000003
【図２】
0003233817.tif 000004
【図３】
0003233817.tif 000005
(57)【要約】      （修正有） 【課題】これまでのインク浸透式スタンプは１色のインクで捺印されており、色の変化に乏しかった。これまでにも多色スタンプは考案されているが、何れも手間がかかり生産性が悪いため、価格が高く、販売されているものがほとんど無い状況である。一度に多色が捺せ、デザインの自由度が高いインク浸透式多色スタンプを提供する。 【解決手段】インクを含んだスタンプ材相互の間隔を空けてスタンプホルダ５に接着することでインクの混ざり合いを防ぐ構造とした。これにより、スタンプを多色化して製造することが簡易になるため、生産性が高まり安価に提供出来るようになる。【選択図】図１
0003233898.tif 000002
【実用新案登録請求の範囲】
【請求項１】
色別にインクを浸透させた多孔質スタンプ材を、隣り合う別の色のスタンプ材との間隔を1mm程空けてスタンプ材支持具に接着することで、異なる色のインクが混ざり合うことがなく、一度に複数の色で捺印できることを特徴とするスタンプ。  
【請求項２】
前記スタンプは、フラッシュ光の熱で文字や図形を焼き付ける多孔質スタンプ材を使用して作成し、焼き付け後にデザインに合わせて色別に切り分けることと、焼き付け前に切り分けることが選択できることを特徴とする請求項１に記載のスタンプ。
【考案の詳細な説明】
【技術分野】
【０００１】
本考案は、複数の色が一度に捺せるインク浸透式スタンプに関するものである。
【背景技術】
【０００２】
現在作られているスタンプはスタンプ台を使用するゴム印やインキ浸透式スタンプでも黒や赤などの色インキを使った単色のものがほとんどである。僅かに２色に色分けしたインク浸透式スタンプがあるが色分割位置が定められておりデザインの自由度が低かった。
過去考案の多色スタンプもあるが、構造が複雑であったり色が混ざり合わないように隔壁を設ける構造であったりするため大きな手間がかかり、一個一個違うデザインで作るスタンプには適しておらず販売もほとんどされていなかった。
【考案の開示】
【考案が解決しようとする課題】
【０００３】
一度に多色が捺せ、デザインの自由度が高いスタンプを簡易につくるための製造方法を提供する。
【課題を解決するための手段】
【０００４】
本考案のスタンプは、デザインに合わせて色別に切り分けた多孔質スタンプ材にインクを浸透させ、色別のスタンプ材相互の間隔をインクが混ざり合わないように1mm程空けてスタンプホルダに接着することを特徴とする。
【考案の効果】
【０００５】
本考案のスタンプでは、隣り合うインクが混ざり合うのを防ぐための隔壁や、隣接部を加熱シールしてインク止めにするなどの加工が必要なく、隣り合う色のスタンプ材との間隔を空けることでインクの混ざり合いが防げるので、必要な設備や材料が不要となり製造が容易で、納期短縮とコストの低減が図れる。さらに、従来の考案では色分けは直線で区切っていたが、この製法では曲線や円弧などで区切ることもできるのでデザインの自由度が高いスタンプを提供することができる。
【図面の簡単な説明】
【０００６】
【図１】本考案の多色に分けたスタンプ材をホルダに取り付けた斜視図。
【図２】本考案のスタンプ色分けデザイン例。
【図３】本考案のスタンプ用のスタンプ材をデザインに合わせて色別に切り分けた斜視図。
【図４】本考案のスタンプ材にデザインを焼き付ける状態を表す側面図。
【図５】デザインが焼き付けられたスタンプ材を表す斜視図。
【図６】本考案のスタンプのスタンプ材をホルダに接着した正面図。
【図７】本考案のスタンプのスタンプ材をホルダに接着した側面図。
【考案を実施するための形態】
【０００７】
フラッシュ光により発熱硬化する多孔質のスタンプ材を使用して、スタンプデザイン例８を４色に色分けする場合、それぞれの文字・図柄が色別になるように、スタンプ材１と、スタンプ材２と、スタンプ材３とスタンプ材４とに分かれるように、それぞれ図形の中間位置６で切り分ける。
切り分けたスタンプ材に、スタンプデザイン８をプリントしたフィルム９を重ね、フラッシュ光１２を当てることで、文字・図柄以外の場所が発熱・硬化して印面を形成する。
印面が焼き付けられたスタンプ材１Ａ、２Ａ、３Ａ、４Ａにインクを浸透させ、スタンプホルダ５に接着する。この時、互いのスタンプ材が接触しないように１mm以上の空間７を空けて接着する。
ここでは４色に色分けする例を示したが、同様の方法で色分割数の増減が出来る。
スタンプ材の切り分けは直線カッターや超音波カッターなどを使うことで、複雑な形状でも切り分けることが出来る。
【実施例】
【０００８】
以下、添付図面に従って実施例を説明する。
図１は、スタンプホルダ５に、インクを浸透させ色別に切り分けたスタンプ材１Ｂとスタンプ材２Ｂと、スタンプ材３Ｂとスタンプ材４Ｂが接着されている状態を表す。
図２は、作製しようとするスタンプのデザイン例８で、８ａ、８ｂ、８ｃ、８ｄ、の４色に色分けする。
図３は、デザインに合わせて切り分けたスタンプ材１、２、３、４と、その上に重ねて置くためのデザインをプリントしたフィルム９を表す。
図４は、スタンプ材の上にフィルム９を重ね、上からフラッシュランプ11で、フラッシュ光12を当てる状態を表す。文字・図柄10以外の部分を通過したフラッシュ光12は、スタンプ材１、４の表面で発熱し表面を溶かし膜面が形成される。
図５は、文字・図柄以外のところに膜面が形成された状態を表す。
図６は、スタンプホルダ５に、色別にインクを浸透させたスタンプ材１Ｂ、２Ｂ、３Ｂ、４Ｂを接着した状態を表す正面図。このとき、各スタンプ材はスタンプ材隣接空間７を１mm以上空けて接着する。
図７は、側面図で、スタンプホルダ５に、スタンプ材１Ｂとスタンプ材４Ｂが、スタンプ材隣接空間７を空けて接着されている。この隣接空間があることで、スタンプ材１Bと、スタンプ材４Ｂが接触しないのでのインクが混ざり合うことが無い。
【符号の説明】
【０００９】
１    スタンプ材  Ａ
１Ａ    文字・図柄焼付けスタンプ材  Ａ
１Ｂ    インク浸透済みスタンプ材  Ａ
２    スタンプ材  Ｂ
２Ａ    文字・図柄焼付けスタンプ材  Ｂ
２Ｂ    インク浸透済みスタンプ材  Ｂ
３    スタンプ材  Ｃ
３Ａ    文字・図柄焼付けスタンプ材  Ｃ
３Ｂ    インク浸透済みスタンプ材  Ｃ
４    スタンプ材  Ｄ
４Ａ    文字・図柄焼付けスタンプ材  Ｄ
４Ｂ    インク浸透済みスタンプ材  Ｄ
５    スタンプホルダ
６    スタンプ材切り分け位置
７    スタンプ材隣接空間
８    スタンプデザイン例
８ａ    スタンプデザイン  ａ色
８ｂ    スタンプデザイン  ｂ色
８ｃ    スタンプデザイン  ｃ色
８ｄ    スタンプデザイン  ｄ色
９    スタンプデザインをプリントしたフィルム
10    文字・図柄
11    フラッシュランプ
12    フラッシュ光
【図１】
0003233898.tif 000003
【図２】
0003233898.tif 000004
【図３】
0003233898.tif 000005
【図４】
0003233898.tif 000006
【図５】
0003233898.tif 000007
【図６】
0003233898.tif 000008
【図７】
0003233898.tif 000009
(57)【要約】      （修正有）【課題】缶ビールの蓋をフルオープンし、ジョッキ飲みするための缶切りを提供する。【解決手段】缶蓋縁の外側に複数のロール刃ｅを配置し、ロール刃を内側に移動させ、缶軸を中心に回転して、缶蓋外縁外側を押し切る。【選択図】図１
0003233535.tif 000002
【実用新案登録請求の範囲】
【請求項１】
複数の回転刃を缶ビール蓋縁外側から押し付け、蓋を切り取ることにより、缶ビールでのジョッキ飲みを可能にする缶切り。
【考案の詳細な説明】
【技術分野】
【０００１】  本考案は、ビール缶をジョッキ飲み器にするため、蓋の切り開けに関するものである。
【背景技術】
【０００２】  缶詰の缶とビール缶の蓋の規格は異なり、ビール缶の蓋を切り取りジョッキ飲み器にできる缶切りは存在しない。
【考案の概要】
【考案が解決しようとする課題】
【０００３】  ビール缶の蓋を安全かつ容易に取り除き、蓋を取り除かれた本体をそのままジョッキとしての使用を可能としたい。
【課題を解決するための手段】
【０００４】  本考案は、複数のロール刃をビール缶蓋縁外側に押し付け、捩じり、蓋全体を切り取ることにより課題を解決している。
【考案の効果】
【０００５】  刃を外側から押し付けることにより、蓋は外側にはずれる。
ロール刃にすることにより力軽減、切り口は滑らかとなる。
ｎ枚刃にすることにより、ねじり１／ｎ回転に減少、作業が安定する。
以上により、ビール缶を容易に安全なジョッキ缶とすることができる。
【図面の簡単な説明】
【０００６】
【図１】本考案の一実施例を示す図である。
【考案を実施するための形態】
【０００７】  缶蓋縁の外側に複数（３個）のロール刃を配置。
上記ロール刃を内側に移動させ、缶軸中心に回転（捻る）する。
缶蓋縁外側を押し切る構造である。
【実施例】
【０００８】  上板ａと下板ｂをスペーサｃを挟み、ボルト・ナットｄで固定する。
ｂとｃの間に半径方向に移動を制限されたロール刃ｅを挟み込む。
レバーｆで回転運動するカムｇが、ｅを制御する。
ａの上にカバーｈを設ける。
【符号の説明】
【０００９】ａ：上板。ビール缶蓋縁天面が突き当てられる。
ｂ：下板。下方に対峙する。
ｃ：スペーサ。ａとｂの間にスペースを確保する。
ｄ：ボルト・ナット。ａ、ｃ、ｂの順に挟み固定する。図中省略。
ｅ：軸付ロール刃。ビール缶蓋縁外側に押し付けられ、蓋を切り取る。
ｆ：レバー。カムｇを回転運動させる。
ｇ：カム。ｆにより回転運動し、ｅを制御する。加えて内径にて缶蓋縁外側をガイドする。
ｈ：カバー。ａに設けたｅの軸案内穴を安全目的で塞ぐ。
ｉ：ビール缶。ジョッキにすべく対象物。ビール（液体）が入っている。
【図１】
0003233535.tif 000003
(57)【要約】      （修正有）【課題】傘を手で持つ必要がなくなり、付着した雨で服が濡れる事がなく、安定して傘を立たせることができる足踏み立て型傘立てを提供する。【解決手段】足踏み立て型傘立ては、アヒルの足先部のように設地面に扇状に広がるヒレ部２と、筒状の装着筒部１から成り、ヒレ部２の先端縁の接地面側に数ミリの高さのリブ爪部３があることで、安定して傘を立たせることができる。【選択図】図１
0003233534.tif 000002
【実用新案登録請求の範囲】
【請求項１】
ヒレ部と装着筒部からなり、ヒレ部の先端底面にリブ爪部を設けてあり、使用時は立て置いた際に、ヒレ部が装着筒部側へ少し傾斜していることを特徴とする足踏み立て型傘立て。
【考案の詳細な説明】
【技術分野】
【０００１】  本考案は、傘の石突きに取付け、押さえることで使用するものである。
【背景技術】
【０００２】  従来、傘の石突き部分に装着し、両足で挟み、使用する器具があった（特許文献１参照）。
従来、傘の石突き部分に装着し、完全に自立させる器具もあった（特許文献２参照）。
従来、傘の柄部分を取り外し、石突きに装着し、完全に自立させる器具もあった（特許文献３参照）。
【先行技術文献】
【特許文献】
【０００３】
【特許文献１】実用新案登録３２３０９８１号公報
【特許文献２】実用新案登録第３２２９７７６号公報
【特許文献３】特開２０１７−９９６５４号公報
【考案の概要】
【考案の解決しようとする課題】
【０００４】  そのために次のような問題点があった。
（イ）特許文献１に示される先行技術は、足と傘との空間が少ないため、傘のこま部分が服に触れてしまい、衣服が濡れるという問題がある。
（ロ）特許文献２に示される先行技術は、安定していても風や振動、傾斜などの影響で倒れてしまうという問題がある。
（ハ）特許文献３に示される先行技術の様に、使用する度に取付け、取り外すものは、雨でぬれているものをどこかに格納する場合、傘の柄として使う場合、どちらとも汚れを拭うことが必要になってしまう。
【課題を解決するための手段】
【０００５】  アヒルの足先部のように設地面に扇状に広がるヒレ部と、扇の要位置に立ち上がっている筒状の装着筒部から成り、ヒレ部の先端縁の接地面側に数ミリ高さのリブ爪部を設けてあり、地面や床に置いた時に、ヒレ部は先端から装着筒部側へわずかに降り下る形で傾斜している。
以上を特徴とする装着型傘立てである
【考案の効果】
【０００６】  電車に乗っている時などに、傘を手で持つことの煩わしさをなくし、足で踏むことで、置き忘れがなくなり、立てかけている時に風や衝撃によって倒れなくなることで、安全性と利便性を発揮することができる。
【図面の簡単な説明】
【０００７】
【図１】本考案の全体図
【考案を実施するための形態】
【０００８】  以下、本考案の実施の形態について説明する。
（イ）傘の石突きと装着する、装着筒部（１）と足で踏む、ヒレ部（２）があり、ヒレ部（２）の接地面側に安定させるための、リブ爪部（３）で構成されている。
本考案は以上のような構成である。
（イ）本考案を使用する時は、傘の石突きと装着筒部（１）を装着し、ヒレ部（２）を踏むことで、安定して傘を立たせることができる。
（ロ）駅のホームなどの傾斜のある場所でもリブ爪部（３）があるため安定して傘を立たせることができ、傘が使用者側に傾いて服に触れてしまうこともない。
（ハ）取り外す時はヒレ部（２）を踏み、傘の石突きを押さえながら上方向へ引っ張ることで破損等なく取り外すことができる。
【符号の説明】
【０００９】１  装着筒部
２  ヒレ部
３  リブ爪部
【図１】
0003233534.tif 000003
(57)【要約】      （修正有）【課題】柔らかく滑りやすい果実を保持し、手を汚さず、皮むきの補佐ができ、そのまま食器として使用できる果実の皮むき用保持具兼食器を提供する。【解決方法】食器のフォークを、歯部１と、歯の根本の根部２と、柄部３を略直角でＺ状に折り曲げた形状で、歯と、柄部の間で根部の両端に柄部の方向に曲った左右対称の指当て部４を設けた保持具兼食器であって、果実の皮の一部を切り取り、そこより歯部を差し込み根部で止め、柄部と指当て部にて手を固定し、ナイフで皮をむきそのまま食べるか、皿にのせ果物用フォークとして使用する。また根部に開けたＵ字状のかぎ部を使用し、二本を組み合わせ多目的に使用できる。【選択図】図１
0003233529.tif 000002
【実用新案登録請求の範囲】
【請求項１】
果実や野菜の皮むき用保持具兼食器であって、食器のフォークを、歯部と、該歯部の根本の根部と、柄部を略直角でZ状に折り曲げた形状で、前記根部の両側端に前記柄部の方向に曲がった左右対称の指当て部を設けた事を特徴とする保持具兼食器。
【請求項２】
前記根部に該縁と連続するＵ字孔を設ける事を特徴とする請求項1記載の保持具兼食器。
【考案の詳細な説明】
【技術分野】
【０００１】
本考案は、果実の皮むき時に利点のある食器に関するものである。
【背景技術】
【０００２】
果実の皮をむく時は、果肉を指や手のひらで支え、滑らないよう保持し皮をむく。特に  果肉が滑りやすく柔らかい果実、例えば柔らかくなったキュウイや桃などの皮をむく時は、手が滑り、手に果汁が付き、柔らかい果肉を手で潰したりして大変であり衛生面でも良くない。
【０００３】
皮むき用の台所用品として文献１がある。しかし、食材を保持する矢と取手はあるが、食卓に使用する食器ではない。また文献２は、上記同様の構造で食器として使用することも考慮してあるが他の用途に兼用しにくい。  
【先行技術文献】
【特許文献】
【０００４】
【特許文献１】実全昭６０−０７３２０号
【特許文献２】実全昭５７―１９４４１６
【考案の概要】
【考案が解決しようとする課題】
【０００５】
柔らかく滑りやすい果実を保持し、手を汚さず、皮むきの補佐をする道具でかつそのまま食器として使用できる道具が課題である。
【課題を解決するための手段】
【０００６】
上記課題を解決するために、食器のフォークを、歯部と、歯の根本の根部と、柄部を略直角でZ状に折り曲げた形状で、根部の両端に柄部の方向に曲った左右対称の指当て部を設けた保持具を用い、果実の皮の一部を切り取り、そこより歯部を差し込み根部で止め、柄部と指当て部にて手を固定し、ナイフで皮をむきそのまま皿にのせ食器として利用する手段により解決できる。
【０００７】
上記の保持具一本では、不安定な食材をより確実に保持するために、組み合わせ用のかぎ部を根部に設け二本使用することもできる。
【考案の効果】
【０００８】
この考案により皮がむきにくい果実や、手が汚れる為に敬遠されていた柔らかい果実や、滑りやすい食材の皮むきが安易になり、また皮むきされ保持具の差し込まれた果実をそのまま皿にのせ食器として利用できる。この保持具の利用により敬遠されていた果実の消費が拡大する可能性がある。またかぎ部を使用し他の食材、例えば骨付きの肉をかぎ部と歯部に掛け固定し食することもできる。
【図面の簡単な説明】
【０００９】
【図１】図１は保持具の形状図である。(実施例１)
【図２】図２は保持具の使用方法の説明図である。(実施例２)
【図３】図２に使用例を記載した、保持具の組み合わせ用かぎ部５の形状図である。
【考案を実施するための形態】
【００１０】
保持具の形態と使用例を示す。
【実施例１】
【００１１】
図１により保持具の形状を説明する。１は歯部で果実を切断しないように一般のフォークの歯の間隔より広くとる。２は根部で歯部と略直角に曲がって角の無い略円形で果実を受ける面を持っている。３は柄部で根部と略直角に歯部と逆方向に曲がっている。４は指当て部で歯部と柄部の間の根部に左右一対で柄部方向に曲がってかつ根本がくびれている。これは果汁が指に垂れるのを少なくする為と、指の馴染みの調整ができるよう変形し良くする為とで、商品の梱包輸送の時保持具を重ねられるようハの字に曲がっている。
【実施例２】
【００１２】
図２により保持具の使用例と特徴を説明する。Ａはキュウイに保持具を差し込んだ状態で、キュウイのヘタを切り取り、そこから保持具の歯を差し込み、根部で止め、手と指で柄部と指当て部を支え、ナイフで皮をむく。Ｂは桃のような大きく重たい果実の場合、保持具を二本使用しかぎ部５を互いに合わせ使用する例である。
【産業上の利用可能性】
【００１３】
果実の消費向上、工業製品の多量生産
【符号の説明】
【００１４】
１    歯部
２    根部
３    柄部
４    指当て部
５    かぎ部
【図１】
0003233529.tif 000003
【図２】
0003233529.tif 000004
【図３】
0003233529.tif 000005
【手続補正書】
【提出日】令和2年12月13日(2020.12.13)
【手続補正１】
【補正対象書類名】実用新案登録請求の範囲
【補正対象項目名】全文
【補正方法】変更
【補正の内容】
【実用新案登録請求の範囲】
【請求項１】
果実や野菜の皮むき用保持具兼食器であって、食器のフォークを、歯部と、該歯部の根本の根部と、柄部を略直角でZ状に折り曲げた形状で、前記根部の両側端に前記柄部の方向に曲がった左右対称の指当て部を設けた事を特徴とする保持具兼食器。
【請求項２】
前記根部に外縁と連続するＵ字孔を設ける事を特徴とする請求項1記載の保持具兼食器。
(57)【要約】      （修正有）【課題】庭木、植木、生垣の害虫駆除・風呂場のカビ取り、部屋の消臭、芳香剤散布、などの霧吹き作業において、広い面積あるいは多量の吹き付けを要する場合の、家庭用噴霧器を提供する。【解決手段】家庭用噴霧機は、外気取り入れ側にガラリ４とフィルター５を設け、モーター７には外気側に送風ファン６を、反対側には噴霧ファン８と仕切りカバー９を設け、噴霧機胴体の薬液ボトル着脱口１３に噴霧用リングパイプ１８を取り付け、細く絞った送風口部分に噴霧ホース接続口１０を設け、噴霧機胴体に肩掛ベルト１・操作スイッチ・薬液ボトル取付口を設け、装備品として薬液ボトル１４、噴霧ホース１２を備える。【選択図】図１
0003233548.tif 000002
【実用新案登録請求の範囲】
【請求項１】
家庭用噴霧機は、外気取り入れ側にガラリとフィルターを設け、モーターには外気側に吸気ファンを、反対側には送風ファンと仕切りカバーを設け、噴霧機胴体の薬液ボトル着脱口に噴霧用リングパイプを取り付け、細く絞った送風口部分に噴霧ホース接続口を設け、噴霧機胴体に肩掛ベルト・操作スイッチ・薬液ボトル取付口を設け、装備品として薬液ボトル、噴霧ホースを備えることを特徴とする家庭用噴霧器。
【考案の詳細な説明】
【技術分野】
【０００１】庭木、植木、生垣の害虫駆除・風呂場のカビ取り、部屋の消臭、芳香剤散布、アルコール消毒、台所、洗濯物の漂白剤散布これら霧吹き作業に５００ｃｃ程のちさい霧吹きで対応している、広い面積あるいは大量の吹き付けを必要とする、一般家庭での霧吹き道具に関する考案であります。
【背景技術】
【０００２】市販されている霧吹きは、ちょっと使用するにはとても便利で使い易いが数こなす場合手首や指が痛くなる、農家の方々の手押しポンプでの農薬散布あるいは、自動車・バイクなどのコンプレッサーを使用しての塗装程ではないが、家庭においても電気掃除機を逆にした電動霧吹きがあれば重宝するものであります。
【先行技術文献】
【特許文献】
【０００３】
【非特許文献】
【０００４】
【考案の概要】
【考案が解決しようとする課題】
【０００５】玄関開けてげた箱・ホール・脱衣・洗面・便所の脱臭、消毒換気及び浴室のカビ取り・台所のアルコール消毒・部屋の消臭、芳香剤散布・庭の植物の害虫駆除等手間のかかる作業を電動噴霧機により、効率的に解決せんとするものであります。
【課題を解決するための手段】
【０００６】軽量小型の噴霧機とし、片手で簡単に操作できそして肩にかけ両手で自由に作業が出来るよう肩掛けベルトを取り付け、そして噴霧口に着脱可能な自在に曲がるホースを取り付け、対象物に的確に噴霧出来るようにする、そして用途に応じた薬剤ボトルを製作し交換しながら使用するものとする。
【考案の効果】
【０００７】一般家庭の掃除機と同程度の風量で、広範囲をむらなく均等に噴霧でき、しかも時間的に短く作業がはかどる、収納している衣類等に関しても床に一斉にひろげれば簡単に終了する事ができる、重宝するものであります。
【図面の簡単な説明】
【０００８】
【図１】家庭用噴霧機の断面図
【図２】外観図
【考案を実施するための形態】
【０００９】家庭用噴霧機の外観図［図２］に示しますように、外見を一升瓶の形状とし底に当たる部分を空気の吸い込み口とし、注ぎ口にあたる部分に着脱できる噴霧用ホースを接続し、胴体に当たる部分に肩掛ベルトを設置し、操作スイッチと薬剤ボトルの取り付け口も同じ面に設置する。
【実施例】
【００１０】外気取り入れ部に内部保護ガラリを取り付け、ゴミの侵入を防ぐためのフィルターも設置、そしてモーターには片側に送風ファンを付け反対側には噴霧ファンと仕切りカバーを設置、薬液ボトルからのリングパイプ吹出口にこれを吹き当て発生する霧を、送風ファンからの気流に載せ強い噴霧風とする、噴霧ホースも着脱可能な自由に曲がる事とする。
【符号の説明】
【００１１】１  肩掛けベルト      ８  噴霧ファン      １５  空気調節キャップ
２  取り付け金具      ９  仕切りカバー    １６  薬液
３  気流の流れ      １０  接続口          １７  吹き出し口
４  保護ガラリ      １１  噴霧流          １８  噴霧用
５  フィルター      １２  噴霧ホース            リングパイプ
６  送風ファン      １３  着脱口          １９  胴体ケース
７  モーター        １４  薬液ボトル：（空気調節キャップ付）  ２０  電気コード
【図１】
0003233548.tif 000003
【図２】
0003233548.tif 000004
(57)【要約】      （修正有）【課題】植物の栽培された状態の植木鉢の移動において、一鉢ずつの移動の不安定、煩雑な箱入れ作業等の解消を図る植木鉢を提供する。【解決手段】植木鉢１は、植木鉢の正面２と背面３が面一であり、この面一な正面と背面の上部に横方向の長孔を形成させることにより、手の入る挿入孔４と握り部５とを構成させてなり、２つの植木鉢を背中合わせに配置した後、挿入孔に指を通し、握り部を握って持ち上げることで安定した状態で、植木鉢の持ち運びがなされる。【選択図】図１
0003233545.tif 000002
【実用新案登録請求の範囲】
【請求項１】
植木鉢（１）の正面（２）と背面（３）が面一であり、この面一な正面（２）と背面（３）の上部に横方向の長孔をそれぞれ形成させることにより、手の入る挿入孔（４）と握り部（５）とを正面（２）と背面（３）にそれぞれ設けたことを特徴とする植木鉢。
【請求項２】
植木鉢（１）の正面（２）と背面（３）の下方に形成された逆Ｖ字形状の溝（６）の側壁（７）に、通気孔（８）を多数設けたことを特徴とする請求項１に記載の植木鉢。
【考案の詳細な説明】
【技術分野】
【０００１】  本考案は、持ち運びに適した植木鉢に関するものであり、遠隔地への移送においても植物に好適な環境を付与するものである。
【背景技術】
【０００２】  従来、植木鉢の背面を面一に形成して、例えば建物の壁面、柱、ベランダ等に装飾される壁掛け用植木鉢が開示されている。
【先行技術文献】
【特許文献】
【０００３】
【特許文献１】特開平１１−１６８９８３号公報
【考案の概要】
【考案が解決しようとする課題】
【０００４】  従来、植物の栽培された状態の植木鉢の平面形状は円形のものが主流であり、移動においては、手に持って一鉢づつ、もしくは箱に入れて数鉢づつ運んでいるのが現状である。一鉢づつの移動の不安定、煩雑な箱入れ作業等の解消を図るとともに、遠隔地への移送に耐えうる、植物の育成に好適な環境を付与する植木鉢を提供することを課題とする。
【課題を解決するための手段】
【０００５】  前記課題を達成するため、この考案に係る植木鉢は、植木鉢の正面と背面が面一でありこの面一正面、背面の上部に横方向の長孔を形成して、手の入る挿入孔と握り部とを構成するとともに、植木鉢の正面と背面の下方に形成された逆Ｖ字形状の溝の側壁に、通気孔を多数設けることにより、遠隔地への移送に耐えうる、植物の育成に好適な環境を付与する植木鉢を提供する。
【考案の効果】
【０００６】  本考案は、植木鉢の背面が面一であり、この面一背面の上部に横方向の長孔を形成させることにより、手の入る挿入孔と握り部とを形成させるようにしたもので、２鉢の植木鉢の面一部を背中合わせに配置した後、挿入孔に指を通し、握り部を握って持ち上げることで安定した状態で、片手で２鉢、両手で４鉢の植木鉢の持ち運びがなされる。
植木鉢の正面と背面の下方に形成された逆Ｖ字形状の溝の側壁に設けられた多数の通気孔は、過給水に於ける水の排除と、遠隔地への移送に耐えうる植物の育成を図るべく、根に大気中に存在する酸素等の養分を充分に補給することを目的とするものである。
【図面の簡単な説明】
【０００７】
【図１】本考案の植木鉢の斜視図である。
【図２】本考案の植木鉢のＡ−Ａ線断面である。
【考案を実施するための形態】
【０００８】  上記目的を達するために、本考案の植木鉢は、鉢本体の正面と背面を面一に形成し、この面一の正面、背面の上部に横方向の長孔を形成させることにより、手の入る挿入孔と握り部とを形成させるとともに、植木鉢の正面と背面の下方に形成された逆Ｖ字形状の溝の側壁に、通気孔を多数設ける。
【実施例】
【０００９】  以下、本考案の実施例を図１〜図２の図面にもとづいて説明する。
図１において、符号（１）は植木鉢本体であり、植木鉢の正面（２）と植木鉢の背面（３）はともに面一の形状を有し、その上部には、手の入る挿入孔（４）と握り部（５）が形成されている。
植木鉢の正面と背面の下方に形成された逆Ｖ字形状の溝の側壁（７）に、通気孔（８）を多数設けることにより、遠隔地への移送に耐えうる、植物の育成に好適な環境が付与される。
【符号の説明】
【００１０】    １    植木鉢
２    植木鉢の正面
３    植木鉢の背面
４    挿入孔
５    握り部
６    逆Ｖ字形状の溝
７    側壁
８    通気孔
９    保水域
【図１】
0003233545.tif 000003
【図２】
0003233545.tif 000004
(57)【要約】      （修正有）【課題】長距離・長時間の自転車走行におけるサドルからの負荷による痛みを通常のクッションパット以上に緩和させるため、人体の股間形状に合わせた硬質の板面による負荷分散型の装着具を提供する。【解決手段】自転車走行時の会陰部痛み緩和の装着具は、人の会陰部の形状に合わせて成型された硬質の繊維強化プラスチックのガード板１と、それに重ねて使用することの出来るクッション材２とを備える。【選択図】図１
0003233586.tif 000002
【実用新案登録請求の範囲】
【請求項１】
サイクルパンツに装着可能な自転車走行時の会陰部痛み緩和用の装着具であって、
人の会陰部の形状に合わせて成型された硬質の繊維強化プラスチックのガード板と、それに重ねて使用することの出来るクッション材とを備えることを特徴とする前記装着具。
【請求項２】
前記サイクルパンツの専用のポケットに挿入して装着することができる請求項１に記載の装着具。
【請求項３】
前記サイクルパンツに専用のポケットを介して装着させることができる請求項１に記載の装着具。
【考案の詳細な説明】
【技術分野】
【０００１】
この考案は、自転車走行時に人体股間部の恥骨付近から尾骨付近までの会陰部にサドルを通じて伝わる運動負荷や振動等の影響による痛みを軽減し保護する装着具（「サイクリングボトムガード」）に関するものである。
【背景技術】
【０００２】
従来は、自転車走行（特にロードバイクやマウンテンバイク等のスポーツサイクルでサドルが軽量小型化された物を長時間使用した場合）においての会陰部の痛み防止として、厚手の布地やウレタン材等によるサドル形状に合わせたクッション材であるパットを衣料のパンツと一体化させたパット付きサイクルパンツが使用されている。
【考案の概要】
【考案が解決しようとする課題】
【０００３】
サイクリングで着用する、従来の厚布やウレタン等のクッション材による「パット付きサイクルパンツ」（サイクルパンツ）は、比較的短い時間での走行にはある程度痛み防止に有効であるが、長時間の自転車走行においては、吸収しきれない負荷を会陰部に継続して受けてしまうため、時間の経過と共に徐々に痛みが増し、走行等に支障を来たす事がある。また、肛門等会陰部に疾患がある人などの場合、短時間の走行でもそれら患部へ悪い影響を及ぼすことにもつながる。本考案は、以上のような課題を極力緩和排除し、安全な自転車走行に長時間長距離でも集中することが出来るためのものである。
【０００４】
本考案は、従来の装着具の改良であって、その目的は、長距離・長時間の自転車走行におけるサドルからの負荷による痛みを通常のクッションパット以上に緩和させるため、人体の股間形状に合わせた硬質の板面による負荷分散型の装着具を提供することにある。
【課題を解決するための手段】
【０００５】
本考案は、サイクルパンツに装着可能な自転車走行時の会陰部痛み緩和の装着具に関する。
【０００６】
本考案に係る装着具は、人の会陰部の形状に合わせて成型された硬質の繊維強化プラスチックのガード板と、それに重ねて使用することの出来るクッション材とを備えることを特徴とする。
【０００７】
また、本考案に関する装着具は、自転車走行時の会陰部の痛みを軽減するため、かつ、サドルからの負荷を広い面で受け止め分散軽減するために、会陰部の形状に合わせた繊維強化プラスチック等の軽量高強度成型板（以下ガード板）を主要部材とするとともに、ゴムやウレタン等のクッション材と合わせることにより負荷軽減効果も高めることも可能とした装着具である。
【０００８】
本考案は、以下の好ましい実施態様を含む。
（１）前記サイクルパンツの専用のポケットに挿入して装着することができる。
（２）前記サイクルパンツに専用のポケットを介して装着させることができる。
【考案の効果】
【０００９】
本考案に係る装着具によれば、自転車走行時のサドルからの負荷荷重を一旦ガード板により１点集中でなく広い面で受け止めることとなり、結果負荷加重が分散され長時間の自転車走行でも会陰部の痛みが軽減される。
【図面の簡単な説明】
【００１０】
【図１】本考案に関する男性用の装着具。
【図２】本考案に関する女性用の装着具。  それぞれの装着具のガード板の特徴を平面・側面・正面で示し、二通りの装着方法のイラスト及びガード板の写真を各図面に示している。
【考案を実施するための形態】
【００１１】
本考案に係る装着具（「サイクリングボトムガード」ともいう）のガード板１は、長時間の外力負荷や連続運動に耐えられるよう繊維強化プラスチックで作られている。繊維の素材としては、ガラス繊維、カーボン繊維、アルミナ繊維、チタン繊維などの無機繊維のほか、芳香族ポリアミド繊維、芳香族ポリエステル繊維、ポリオレフィン繊維などの有機繊維などを用いることができ、プラスチック素材としては不飽和ポリエステル樹脂、エポキシ樹脂、フェノール樹脂、ポリアミド樹脂などの熱硬化型樹脂や熱可塑性樹脂を用いることができる。従来のクッション材等による衝撃吸収パットだけでは、サドルから伝わる外力は吸収しきれない負荷が一点集中的にパット越に人体に伝わり、長時間走行時においてはその箇所の痛みが更に徐々に増してしまう。そこで、装着具（「サイクリングボトムガード」）の主要部材は、繊維強化プラスチックの硬質な層とゴムや発砲プラスチック、ウレタン等のクッション２で形成も出来て、自転車の振動衝撃や運動負荷をガード板１の面全体に分散させ、更にクッション２で吸収させることができる
【００１２】
これにより、走行時の会陰部の痛みを緩和させることができる。装着具（「サイクリングボトムガード」）の装着は主に外付け（アウター）と内付け（インナー）の二通りの方法がある。
【００１３】
アウタータイプは、サイクルパンツにガード板を挿入装着する専用ポケット３を設けた方法である。ガード板１の形状に合わせたポケット３により装着位置がサイクルパンツに固定され、洗濯時にはこのガード板１をポケットから抜き取る。
【００１４】
インナータイプは、装着具（「サイクリングボトムガード」）を両足の太ももの付け根部分と腰周りに固定する専用バンド４（例えば、長さ調整が可能な平ロープ等）で装着する方法である。ガード板１は装着者の体格や好みに応じて会陰部のみをガードする幅の狭いタイプから、お尻を大きく包み込む幅の広いタイプまで選ぶことが可能としている。また、ガード板１の形状特徴として、女性用は前方の部分を負荷を伝えないホール形状を設け、男性用はお椀型形状としてもよい。
【符号の説明】
【００１５】
１  ガード板
２  クッション材
３  専用ポケット
４  装着バンド
【図１】
0003233586.tif 000003
【図２】
0003233586.tif 000004
(57)【要約】      （修正有）【課題】商品券等の紙媒体における、高価なホログラムや、安価であるが低品質な潜像地紋、及び真贋に補助具を要するマイクロ文字等の偽造防止策は存在しているが、真贋判定環境に制約される事なく、その場で容易に真贋判定を可能とし、大量生産に対応した安価な偽造防止材を提供する。【解決手段】本考案は金属刃型の深度・間隔と紙媒体の厚み、及びミシン押圧により生じる凹凸の変形度合（カエリ）を実現するために、フォーム輪転印刷機の貼り胴に、高精度な刃型深度とフォーム印刷用紙の厚みを設計して、ミシン目で切断される事なく、ミシン目の凹凸（かえり）が押圧により成形され、ミシン目刻印による凹凸の感触を、指先で感知できる３重輪のミシン目形状を形成する。【選択図】図４
0003233598.tif 000002
【実用新案登録請求の範囲】
【請求項１】
紙媒体の表面から、ミシン目を切断されること無く押圧して、裏面に生じる凹凸に対して、紙面強度を確保しつつ、指先で感触可能な形状に刻印し、最適な刃形・間隔・寸法で考案された外径１５ｍｍの３重輪の形状を有するミシン目刻印形状シート。
【考案の詳細な説明】
【技術分野】
【０００１】  本考案は、商品券等の紙媒体における偽造防止の真贋判定を、ミシン目刻印の凹凸感触により、真贋判定環境に制約される事なく、即座に感知・視認できる偽造防止補助形状である。
ミシン刃間隔比率と硬質なミシン刃による紙媒体への押圧は、高速輪転印刷（２５０ｍ／分）に耐え、機械的に大量生産が可能で、安価で高品質な偽造防止策の選択肢を提供する。
【背景技術】
【０００２】  商品券等の製造における、偽造防止策のホログラムは高価なため、価格重視される代替策として、潜像文字（コピーガード）技術が利用されるが、その再現精度が不十分な場合が多く散見される。真券でありながら、潜像文字が事前に判読できて、真券と偽造券との真贋問合せで、販売現場等で混乱が生じたことがマスコミで報道されている事例が有る。
不完全と考えられる潜像文字（コピーガード）技術に代替する、安価で利便性の高い偽造防止真贋補助策として、「ミシン目刻印」技術による偽造防止補助形材を提供する。
【先行技術文献】
【特許文献】
【０００３】
【特許文献１】実開平９−６６  公開実用新案広報
【０００４】
【特許文献２】実全昭５５−１６０８００  公開実用新案広報
【０００５】
【特許文献３】特開２０１４−０９１５６１  公開実用新案広報
【考案の概要】
【考案が解決しようとする課題】
【０００６】  ミシン加工技術は、ミシン目で切り離して、分離された紙片の視認により、紙媒体情報を分割するものであるが、本考案は、ミシン目で切り離すのが目的でなく、切断される事なく、紙面強度を保持しつつ、感触可能なミシン深度の範囲で押圧して、ミシン加工による凹凸（紙のかえり）の触感と、紙透かしによる形状認識を容易にする事が求められる。
【課題を解決するための手段】
【０００７】  ミシン目で紙面が切断されることなく、紙面強度を保持するために、ミシン刃の切断深度の精度管理が要求されるため、堅牢なフォーム上質紙１０４．７ｇ／ｍ２の厚みと、ミシン刃のミシン間隔・深度を最適に設計する。
そして、ミシン目刃型の形状を既定値化し、フォーム上質紙１０４．７ｇ／ｍ２の厚みと、ミシン刃の深度の設定値を既定値として、ミシン刃精度と刻印媒体との精度管理負荷を軽減させる。
【考案の効果】
【０００８】  安価で大量に安定した品質で提供可能なミシン目刻印は、偽造防止策としてのホログラム・潜像文字（コピーガード）に代替させる事が期待できる偽造防止補助形状である。
その場で指先の感触で刻印の有無が感知でき、透かせば、３重輪の形状認識が容易に可能であり、偽造防止策として採用されている透かし印刷に安価に代替する効果も有する。
また、商品券等の販売・換金収納現場において、真贋判定環境を選ばず、真贋用具も必要とせず、即座に真贋判定を補助する事が可能である。
更には、視覚障害者等への事前告知しておけば、媒体認識にも活用できる。
【図面の簡単な説明】
【０００９】
【図１】  ミシンの凹凸（紙のかえり）感触実施（指先感触）例を示す鳥瞰図
【図２】  ミシンの凹凸（紙のかえり）の透過実施（透かし）例を示す鳥瞰図
【図３】  ミシン刃深度と用紙厚との関係  断面図
【図４】  紙面強度を保持するためのミシン刃間隔・形状  平面図
【考案を実施するための形態】
【００１０】  指先で感触可能な位置として、商品券等の紙媒体の右上端からミシン目刻印中心から３０ｍｍの位置に、３重輪のミシン形状を刻印する。
【実施例】
【００１１】  指先で被媒体をつまんだ感触で、ミシンの凹凸（紙のかえり）の感触を感知する。【００１２】  さらに、透かして３重輪のミシン目形状を視認する。
【産業上の利用可能性】
【００１３】  自冶体が発行する地域限定のプレミアム付き商品券等に対して、価格重視の偽造防止抑止策に活用できる。
【符号の説明】
【００１４】  １  ミシン刃本体
２  ミシン刃先
３  ミシン刃深度  ６０μ
４  紙媒体  フォーム上質紙１０４．７ｇ
５  紙の凹凸（かえり）
６  紙の厚み  １２７（±１０）μ
７  ミシンのカエリ５０（±１０）μ
８  第１円形ミシン目
９  第２円形ミシン目
１０  第３円形ミシン目
１１  第１円形  直径    ５ｍｍ
１２  第２円形  直径  １０ｍｍ
１３  第３円形  直径  １５ｍｍ
１４  ミシン目  カット寸法  １．０ｍｍ
１５  ミシン目  止め寸法    １．５ｍｍ
【図１】
0003233598.tif 000003
【図２】
0003233598.tif 000004
【図３】
0003233598.tif 000005
【図４】
0003233598.tif 000006
(57)【要約】      （修正有）【課題】家庭や繊維メーカーの残布を活用して製作する、携帯しやすく小分けの区画を持つなど機能性に優れた端布（はぎれ）エコバッグを提供する。【解決手段】三角形の布を重ね合わせて縫うことで単一布よりも強度を増し、重ねた布の間にポケット３を設け、持ち手を設けず大きく開くことで物を入れやすくし、結んで持ち手とするため袋の大きさを調整しやすくし、小さく折りたため携帯しやすい。袋底の入り隅部分にマチ４をつけることで物が取り出しやすい、機能性に優れた端布エコバッグ。【選択図】図２
0003233236.tif 000002
【実用新案登録請求の範囲】
【請求項１】
端布（はぎれ）を用いて製作するエコバッグ。家庭の風呂敷や繊維メーカーの残布など正方形の布を切り離すなどした三角形の布を重ね合わせて縫製し製作する。重ねた布の間にポケットを設ける。持ち手が無く、結ぶことで持ち手を形成し袋の大きさを調整可能で、携帯時は小さく折りたためる。物を取り出しやすくするため、袋底の入り隅部分にマチをつけたバッグ。
【考案の詳細な説明】
【技術分野】
【０００１】  本考案は、端布（はぎれ）を重ねて製作したエコバッグに関するものである。
【背景技術】
【０００２】  地球環境が危ぶまれる昨今、ＳＤＧｓの視点に立ちサーキュラーエコノミーの実現に向けた取り組みや商品開発が必要である。海洋プラスチィック削減に向けてレジ袋有料化などの取り組みも行われる中で様々なエコバッグは製作されているが、家庭や繊維メーカーの残布を活用して製作可能で、携帯しやすく小分けの区画を持つなどの機能的な形体のものは無い。これまで、風呂敷を加工したフロシキバッグや、フロシキに持ち手や持ち手を形成するボタンなど付属品をつけた形体のものはあった。
【先行技術文献】
【特許文献】
【０００３】
【特許文献１】特開２００８−２０１４６９
【考案の概要】
【考案が解決しようとする課題】
【０００４】  これまで下記のような欠点があった。従来の風呂敷は物を包むのに一旦布を広げる手間と結び方が複雑であった。またバッグ状の風呂敷は付属品がついているため本来の風呂敷として物を包む機能が損なわれ、バッグ自体たたむとかさばっていた。さらにボタンやスナップで止める形の持ち手は強度に不安があった。また携帯電話やレシートを他のものと分けて挿入するポケットが無いことや、袋底の入り隅の部分から物が取り出しにくいという欠点があった。本発明は以上のような欠点をなくすためになされたものである。
【課題を解決するための手段】
【０００５】  正方形の布を切り離すなどした三角形の布を重ね合わせて縫うことで（１）単一布よりも強度を増し（２）重ねた布の間にポケットをつくる。（３）持ち手が無く大きく開くことで物を入れやすくし（４）結んで持ち手とするため袋の大きさを調整しやすくし（５）小さく折りたため携帯しやすい。（６）袋底入り隅にマチをつけることで物が取り出しやすいなど、問題点を解決している。
【考案の効果】
【０００６】  上記のように、風呂敷では結ぶ手間があり、持ち手のついたフロシキバッグでは折りたたみにくく、ボタンで留める形のフロシキバッグでは強度に不安があるが、本考案は布を重ねて縫い合わせ、持ち手をつけないバッグとすることで、これらの問題を解決するとともに、重ねた布間のポケットや、袋底の入り隅部のマチが機能性を高めている。
【図面の簡単な説明】
【０００７】
【図１】本考案の作り方を説明した図（９０センチ程度の布の場合▲１▼）
【図２】完成姿図（９０センチ程度の正方形布の場合▲２▼）
【図３】本考案の作り方を説明した図（７０センチ程度の布の場合▲２▼）
【考案を実施するための形態】
【０００８】  ９０センチ程度の正方形布を切り離すなどして得られた２つの三角形布を、図１のように重ねて点線部分を縫いあわせる。ポケットの口となる部分は縫わない。強度を増し、且つポケットを形成するためにバッグの底になる部分も図１左に示すように縫い合わせる。続いて袋の内側となる面の両サイドを図１右のように縫う。袋底の入り隅にはマチをつけて縫い、裏返すと完成する。９０センチの布の場合は肩掛けで使える大きさとなる。
【実施例】
【０００９】  ７０センチ程度の正方形布から製作する場合は、図３の縫い合わせの位置とすることで袋としての形状が安定し物が入れやすく、手持ちで使える大きさのバッグとなる。【００１０】  異なる柄の布を重ねることで意匠性を増し、またＳＤＧｓへの取り組みメッセージを記載したオリジナルロゴマークをプリントしたタグを、縫い合わせる。
【符号の説明】
【００１１】１  端布（はぎれ）
２  縫糸
３  ポケット
４  マチ
５  タグ
【図１】
0003233236.tif 000003
【図２】
0003233236.tif 000004
【図３】
0003233236.tif 000005
【手続補正書】
【提出日】令和3年4月14日(2021.4.14)
【手続補正１】
【補正対象書類名】実用新案登録請求の範囲
【補正対象項目名】全文
【補正方法】変更
【補正の内容】
【実用新案登録請求の範囲】
【請求項１】
家庭の風呂敷や繊維メーカーの残布から切り出した２枚の三角形の布を、一方の長辺の中心ともう一方の２つの短辺の交点を重ね合わせて縫製することで重ねた布の間にポケットを形成し、布の２箇所の鋭角部分を結ぶことで持ち手を形成して袋の大きさを調整可能で携帯時は小さく折りたため、袋底の入り隅部分にマチをつけて物を入れやすくした端布（はぎれ）エコバッグ。